(57)【特許請求の範囲】
【請求項１】
開口部の上縁に延設されたレール上を走行する戸車を枢着したブラケットに吊り下げられた引戸と、この引戸の上縁およびこの上縁に対向する開口部の上縁、または、引戸の下縁およびこの下縁に対向する開口部の下縁の少なくとも一方に、引戸の全閉動作に伴って互いに嵌合して、この引戸を開口部の四周縁に押し付けるように移動させる押付け機構を備えた防煙引戸装置において、
上記レールおよび戸車は、互いに略円弧面で接触するような断面形状に形成され、上記引戸は、上記ブラケットの下部フランジに設けられた穴に遊嵌したボルトおよびナットによって吊り下げられ、上記ボルトまたはナットの座面に直接または間接に対向する上記下部フランジの上面が上に凸な曲面に、あるいは上記下部フランジの上面に直接または間接に対向する上記ボルトまたはナットの座面が下に凸な曲面に形成されていることを特徴とする防煙引戸装置。
【請求項２】
請求項１に記載の防煙引戸装置において、上記ボルトまたはナットの座面は平面であり、上記下部フランジの上面は上に凸な曲面であり、上記ボルトまたはナットと上記下部フランジの間に挟まれる鍔部と、上記ボルトに挿通されかつ上記穴に遊嵌する筒部とからなるスペーサが、上記ボルトとナットの間に設けられたことを特徴とする防煙引戸装置。
【請求項３】
開口部の上縁に延設されたレール上を走行する戸車を枢着したブラケットに吊り下げられた引戸と、この引戸の上縁およびこの上縁に対向する開口部の上縁、または、引戸の下縁およびこの下縁に対向する開口部の下縁の少なくとも一方に、引戸の全閉動作に伴って互いに嵌合して、この引戸を開口部の四周縁に押し付けるように移動させる押付け機構を備えた防煙引戸装置において、
上記レールおよび戸車は、互いに略円弧面で接触するような断面形状に形成され、上記引戸は、上記ブラケットの下部フランジに設けられた穴に遊嵌したボルトおよびナットによって吊り下げられ、下に凸な曲面状の下面を有して上記ボルトまたはナットの座面と上記下部フランジの上面との間に挟まれる鍔部と、上記ボルトに挿通されかつ上記穴に遊嵌する筒部とからなるスペーサが、上記ボルトとナットの間に設けられていることを特徴とする防煙引戸装置。
【発明の詳細な説明】
【０００１】
【発明の属する技術分野】
本発明は、全閉動作に伴って開口部の四周縁に密着する押付け機構を備えて煙の侵入を防ぐ防煙引戸装置に関する。
【０００２】
【従来の技術】
従来、全閉動作に伴って開口部を密封する引戸装置として、防煙用ではないが本願出願人の登録実用新案に係る冷蔵庫封止戸がある（実公平７−６４３３号公報）。この冷蔵庫封止戸に用いられる押付け機構の基本構造は、引戸上部の平面図，正面図である図２（Ａ），（Ｂ）および引戸下部の正面図，断面図である図３（Ａ），（Ｂ），（Ｃ）に示すとおりである。即ち、上記押付け機構は、引戸２１の上縁２１ａにローラ２２を回転自在に枢着し、引戸２１の下縁２１ｂに長手方向に延在し、かつ後端が手前に屈曲する案内溝２３を設ける一方、開口部の上縁に、全閉直前のローラ２２に係合して引戸２１を図２（Ａ），（Ｂ）の２点鎖線で示すように開口部の四周縁に密着させる係合金具２４を設け、開口部の床面に、図３（Ａ）〜（Ｃ）に示すように、上記案内溝２３に嵌合して全閉時に引戸２１を同様に開口部の四周縁に密着させるローラ２５を突設して構成される。
【０００３】
【発明が解決しようとする課題】
上記押付け機構をもつ冷蔵庫封止戸は、詳細構造を図示しないが、ブラケットに枢着した戸車を、開口部の上縁に設けたレールに沿って走行させ、上記ブラケットの下部フランジに引戸の厚さ方向に延びる１対の長孔を設け、ワッシャ，スペーサ，スラスト軸受を通したボルトを上記長孔に挿通し、このボルトの先端を引戸の上縁に設けたねじ穴に螺合することによって、引戸を厚さ方向に移動可能にブラケットで支持して吊り下げ、全閉時に引戸が上述の如く開口部の四周縁に密着できるようにしている。
【０００４】
ところが、押付け機構をもつ上記従来の引戸装置は、戸車を枢着したブラケットの下部フランジに長孔を設け、この長孔にワッシャ，スペーサ，スラスト軸受を通したボルトを挿通し、このボルトの先端を引戸に螺合して、開口部を密封すべく引戸を厚さ方向に移動可能にしているため、部品点数が増えるとともに、構造が複雑になって、製造コストが高くなるという問題がある。
【０００５】
そこで、本発明の目的は、引戸の吊り下げ手法を工夫することによって、部品点数の少ない簡素な構造でもって、引戸を厚さ方向に移動可能にして開口部を密封でき、メインテナンスが容易で、製造コストが低減できる防煙引戸装置を提供することにある。
【０００６】
【課題を解決するための手段】
上記目的を達成するため、本発明の請求項１は、開口部の上縁に延設されたレール上を走行する戸車を枢着したブラケットに吊り下げられた引戸と、この引戸の上縁およびこの上縁に対向する開口部の上縁または引戸の下縁およびこの下縁に対向する開口部の下縁の少なくとも一方に、引戸の全閉動作に伴って互いに嵌合して、この引戸を開口部の四周縁に押し付けるように移動させる押付け機構を備えた防煙引戸装置において、上記レールおよび戸車は、互いに略円弧面で接触するような断面形状に形成され、上記引戸は、上記ブラケットの下部フランジに設けられた穴に遊嵌したボルトおよびナットによって吊り下げられ、上記ボルトまたはナットの座面に直接または間接に対向する上記下部フランジの上面が上に凸な曲面に、あるいは上記下部フランジの上面に直接または間接に対向する上記ボルトまたはナットの座面が下に凸な曲面に形成されていることを特徴とする。
【０００７】
上記請求項１の防煙引戸装置では、レールとこのレール上を走行する戸車は、互いに略円弧面で接触するような断面形状に形成されているので、戸車を枢着したブラケットは、レールに直交する面内で上記円弧面の中心の周りに揺動する。揺動端になるブラケットの下部フランジには、穴に遊嵌したボルトおよびナットによって引戸が吊り下げられ、互いに直接または間接に対向する上記ボルトまたはナットの座面と下部フランジの上面とのいずれかが、対向方向に凸な曲面に形成されている。従って、下部フランジの穴に遊嵌するボルトおよびナットによって吊り下がる引戸は、揺動するブラケットの傾きに拘らず常に自重で鉛直姿勢を保つ。いま、引戸が全閉動作に伴って押付け機構によって開口部の四周縁に向けて動かされると、上述のように引戸は鉛直姿勢を保ったまま、ブラケットが揺動して、引戸が開口部の四周縁に押し付けられ、開口を密封することになる。
【０００８】
上記防煙引戸装置は、ブラケットの下部フランジに設けた長孔に、ワッシャ，スペーサ，スラスト軸受を通したボルトを挿通し、ボルトの先端に引戸を吊り下げる従来例と異なり、レールに円弧面接触する戸車を枢着したブラケットの揺動と、ブラケットの下部フランジの穴に遊嵌するボルトに吊り下がる鉛直姿勢を保つ引戸によって開口部を密封するので、部品点数が減って構造が簡素化でき、製造コストを低減することができる。
【０００９】
本発明の請求項２は、上記ボルトまたはナットの座面が平面であり、上記下部フランジの上面が上に凸な曲面であり、上記ボルトまたはナットと上記下部フランジの間に挟まれる鍔部と、上記ボルトに挿通されかつ上記穴に遊嵌する筒部とからなるスペーサが、上記ボルトとナットの間に設けられたことを特徴とする。
【００１０】
上記請求項２の防煙引戸装置では、ボルトまたはナットの平坦な座面と下部フランジの上に凸な曲面との間に鍔部が挟まれ、筒部がボルトに挿通されかつ下部フランジの穴に遊嵌するスペーサが、ボルトとナットの間に設けられている。従って、ボルトとナットによる下部フランジと引戸との所定スペーサ長の連結が緩まず、ボルトまたはナットと下部フランジとの転がり接触の接線長が増えて、引戸を円滑かつ安定して鉛直姿勢に維持でき、引戸による開口部の密封動作を円滑化できる。
【００１１】
本発明の請求項３は、開口部の上縁に延設されたレール上を走行する戸車を枢着したブラケットに吊り下げられた引戸と、この引戸の上縁およびこの上縁に対向する開口部の上縁または引戸の下縁およびこの下縁に対向する開口部の下縁の少なくとも一方に、引戸の全閉動作に伴って互いに嵌合して、この引戸を開口部の四周縁に押し付けるように移動させる押付け機構を備えた防煙引戸装置において、上記レールおよび戸車は、互いに略円弧面で接触するような断面形状に形成され、上記引戸は、上記ブラケットの下部フランジに設けられた穴に遊嵌したボルトおよびナットによって吊り下げられ、下に凸な曲面状の下面を有して上記ボルトまたはナットの座面と上記下部フランジの上面との間に挟まれる鍔部と、上記ボルトに挿通されかつ上記穴に遊嵌する筒部とからなるスペーサが、上記ボルトとナットの間に設けられていることを特徴とする。
【００１２】
上記請求項３の防煙引戸装置では、上記実施形態において、ブラケットの下部フランジの上面を平面にする代わりに、ボルトまたはナットの座面と下部フランジの上面との間に挟まれるスペーサの鍔部の下面を下に凸な曲面にしている。この構成は、互いに対向するスペーサ下面と下部フランジ上面のうちスペーサ下面が曲面をなしているのが異なるだけで、上記両対向面が転がり接触するのは同じである。従って、上記実施形態で述べたと同様、ボルトとナットによる下部フランジと引戸との所定スペーサ長の連結が緩まず、ボルトまたはナットと下部フランジとの転がり接触の接線長が増えて、引戸を円滑かつ安定して鉛直姿勢に維持でき、引戸による開口部の密封動作を円滑化できる。
【００１３】
【発明の実施の形態】
以下、本発明を図示の実施形態により詳細に説明する。
図１は、本発明の防煙引戸装置の一実施形態を示す側面図である。この防煙引戸装置は、大略して、開口部１の上縁１ａに水平に延設された断面コ字状のレール２と、このレール２上を走行する戸車３を回転自在に枢着したブラケット４と、このブラケット４の下部フランジに吊り下げられた引戸２１とからなる。
【００１４】
上記ブラケット４は、戸車３を枢着した断面Ｌ字状の上部部材５と、この上部部材５にボルト７とナット８で固定された断面コ字状の下部部材６とからなり、上部部材５に固定した逆Ｌ字状の金具９の紙面に垂直方向の両端には、図示しないが、開口部１の上縁１ａの一端に設けられたモータで駆動される駆動スプロケットと、他端に設けられた従動スプロケットの間に巻き付けたチェーンの対向する両端が連結されて、戸車３を走行させるようになっている。
上記レール２の下部フランジの先端２ａと戸車３は、互いに凸凹の円弧面で接触して、戸車３を枢着したブラケット４が図中の２点鎖線で示すようにレール２に直交する面内で上記円弧面の中心の周りに揺動できるような断面形状に形成されている。
【００１５】
一方、断面コ字状の下部部材６は、上部部材５に固定される上部フランジ１０と縦リブ１１と下部フランジ１２からなり、下部フランジ１２は、図示の如く上に凸な円弧状に形成されるとともに、穴１３が設けられている。引戸２１は、首下にワッシャ１５とスペーサ１６を挿通した状態で上記穴１３に遊嵌したボルト１４の先端にナット１７によって固定される。  スペーサ１６は、ワッシャ１５と下部フランジ１２の間に挟まれる鍔部１８と、この下方に連なる筒部１９からなり、平坦で広い鍔部１８の下面が、下部フランジ１２の上に凸な円弧面と長い接線長（紙面に垂直方向）で転がり接触して、ブラケット４が２点鎖線で示すように揺動したとき、引戸２１を２点鎖線で示すように常に鉛直姿勢に円滑かつ安定的に維持させるようになっている。
【００１６】
なお、本実施形態でも、引戸２１の全閉動作に伴って互いに嵌合して、引戸２１を開口部１の四周縁に途切れずに設けられたパッキン２０に押し付けるように移動させる（図１中の矢印参照）図２，３の従来例で述べたと同様の押付け機構が設けられており、そのうちの引戸上縁側のローラ２２と係合金具２４が、図１に２点鎖線で示されている。
【００１７】
上記構成の防煙引戸装置は、次のように動作する。
開口部１の上縁１ａの一端に設けられた図示しない駆動スプロケットにより、車輪３を枢着したブラケット４が、チェーンを介してレール２上を閉方向に駆動され、全閉位置に近づくと、図２，３で述べたように、引戸上縁２１ａのローラ２２が開口部の上縁１ａに設けられた係合金具２４に係合し、床上に設けたローラ２５が引戸下縁２１ｂの案内溝２３端の屈曲部に案内されて、引戸２１が図１の矢印および２点鎖線で示されるように、開口部の上縁１ａに近づくように移動し始める。このとき、引戸２１をブラケット４に吊り下げているボルト１４は、スペーサ１６を介して当接する穴１３の後縁を上記矢印方向に押圧する。ここで、ブラケット４の上部部材５に枢着された戸車３は、レール２の下部フランジの先端２ａと円弧面で接しているので、ブラケット４は、レール２に直交する面内で上記円弧面の中心の周りに図中の２点鎖線で示すように揺動する。
【００１８】
このとき、ボルト１４は、スペーサ１６を挟んで引戸２１の上縁にナット１７で固定されているので、スペーサ１６の鍔部１８の平坦で広い下面が、図１の紙面に垂直な方向に長い接線長でもって下部フランジ１２の上に凸な円弧面と滑り接触ではなく転がり接触するので、ブラケット４が揺動で傾斜しても、引戸２１は自重で鉛直に吊り下がった状態を維持するうえ、接触面相互の摩耗が少なく、引戸２１を小さな駆動力で円滑かつ安定して開口部１に近づけることができる。そして、全閉状態で、引戸２１は、開口部１の四周縁１ａに設けたパッキン２０に図中の２点鎖線で示すように当接し、例えば開口部１の右側のエレベータホールを開口部１の左側のエレベータシャフトに対して密封し、火事の際のエレベータシャフト側からの煙の侵入を防止する。
なお、全閉状態から引戸２１を開く場合は、引戸の下縁の案内溝２３の屈曲部とこれに嵌合する床上のローラ２５の協働によって、引戸２１が図１の矢印と逆に開口部１から離れる方向に移動させられる。
【００１９】
上記実施形態では、首下にスペーサ１８を通したボルト１４を、ブラケット４の下部フランジ１２の穴１３に挿通し、ボルト１４の下端をナット１７で引戸２１の上縁に固定しているので、スペーサ１８の筒部１９の高さに相当する間隔を確保してボルト１４を穴１３に遊嵌でき、ブラケット４の揺動に拘らない引戸２１の鉛直姿勢を確実に維持できるとともに、ボルト１４とナット１７による引戸２１の連結を緩まないものにできる。
なお、上記実施形態では、ボルト１４を上側，ナット１７を下側にして引戸２１を下部フランジ１２に吊り下げたが、これと逆に、ボルト１４を下側，ナット１７を上側にして吊り下げることもできる。
上記実施形態の防煙引戸装置は、従来のブラケットの下部フランジに設けた長孔にワッシャ，スペーサ，スラスト軸受を通したボルトを挿通し、ボルトの先端に引戸を吊り下げた防煙引戸装置と異なり、レール２に円弧面接触する戸車３を枢着したブラケット４の揺動と、ブラケット４の下部フランジ１２の穴１３に遊嵌するボルトに鉛直姿勢を保って吊り下がる引戸２１によって開口部１を密封するので、部品点数が減って構造が簡素化でき、製造コストを低減できるとともに、潤滑油の供給も不要になってメインテナンスを簡素化できる。
【００２０】
本発明の下部フランジへの引戸の吊り下げは、図１の実施形態のスペーサ１８を省略し、ねじ部の上半を上記スペーサの形状に機械加工したボルトを用いて行なうこともできる。また、穴１３をもつ平坦な形状の下部フランジ１２を用いる代わりに、ボルト１４に挿通するスペーサ１６の鍔部１８の下面（座面）を凸，円筒面または球面に加工したり、スペーサ１６を省略して大径の頭部をもつボルトを所定のねじ部長さの間隔をあけて引戸上縁に固定したり、スペーサ１６を省略して平坦な形状の下部フランジ１２を用いる代わりに、大径頭部のボルトの座面を凸，円筒面または球面に加工したりして、下部フランジに引戸を吊り下げることもできる。これらの場合も、ボルトのまたはナット座面あるいはスペーサの座面と対向する下部フランジの上面とによる平坦面と凸な曲面の転がり接触が実現できるので、上記実施形態で述べたと同様の作用効果を得ることができる。
【００２１】
【発明の効果】
以上の説明で明らかなように、本発明の請求項１は、開口部の上縁に延設されたレール上を走行する戸車を枢着したブラケットに引戸を吊り下げ、引戸を全閉動作に伴って開口部の四周縁に押し付ける押付け機構を備えた防煙引戸装置において、レールおよび戸車を互いに略円弧面で接触するような断面形状に形成し、引戸を、ブラケットの下部フランジに設けた穴に遊嵌したボルトおよびナットで吊り下げ、ボルトまたはナットの座面に直接または間接に対向する下部フランジの上面を上に凸な曲面に、あるいは下部フランジの上面に直接または間接に対向するボルトまたはナットの座面を下に凸な曲面に形成しているので、押付け機構によるブラケットの揺動と、このブラケットの下部フランジに遊嵌するボルトに鉛直姿勢を保って吊り下がる引戸によって開口部を密封でき、部品点数を減らして構造を簡素化でき、製造コストを低減することができる。
【００２２】
本発明の請求項２では、上記ボルトまたはナットの座面を平面に、上記下部フランジの上面を上に凸な曲面に形成し、ボルトとナットの間に鍔部と筒部からなるスペーサを設けているので、ボルトとナットによる下部フランジへの引戸の連結が緩まないうえ、ボルトの首下と引戸の間に筒部の高さに相当する間隔を確保してボルトを穴に遊嵌でき、引戸の鉛直姿勢を確実に維持することができる。
【００２３】
本発明の請求項３では、上記ブラケットの下部フランジの上面を平面にする代わりに、ボルトまたはナットの座面と下部フランジの上面との間に挟まれるスペーサの鍔部の下面を下に凸な曲面に形成しているので、これらの両対向面が同様に転がり接触して、上述と同様の作用効果を奏することができる。
【図面の簡単な説明】
【図１】本発明の防煙引戸装置の一実施形態を示す側面図である。
【図２】従来の冷蔵庫封止戸に用いられる押付け機構を備えた引戸上部の平面図及び正面図である。
【図３】従来の冷蔵庫封止戸に用いられる押付け機構を備えた引戸上部の正面図およびこの正面図におけるｂ−ｂ線およびｃ−ｃ線に沿う断面図である。
【符号の説明】
１  開口部
２  レール
３  戸車
４  ブラケット
５  上部部材
６  下部部材
１２  下部フランジ
１３  穴
１４  ボルト
１６  スペーサ
１７  ナット
１８  鍔部
１９  筒部
２０  パッキン
２１  引戸
２１ａ  上縁
２１ｂ  下縁
２２，２５  ローラ
２３  案内溝
２４  係合金具
【図１】
0003594941.tif 000002
【図２】
0003594941.tif 000003
【図３】
0003594941.tif 000004